(57)【要約】      （修正有）【課題】幅が狭い縦框の内外の壁面に台座部材を装着する際、台座部材のコンパクト化を図り、取付けの容易性を満足できるハンドル錠の提供。【解決手段】扉の縦框２ａに固定的に取付けられる内外の台座部材２１，２２にそれぞれ回転可能に設けられていると共に、ハンドル用付勢手段５２によりそれぞれ付勢されたプル式・プッシュ式のハンドル６と、ラッチ片１２とを備える建具用ラッチ錠であって、内外の台座部材は、内外の縦長支持基板４１、４２と、縦長支持基板に外嵌合する内外の縦長ケース状台座本体４３、４４とから成り、内外のハンドル用付勢手段は、内外の縦長支持基板の付勢手段用垂直基板部分４１ａ、４２ａの内壁面とプル式・プッシュ式のハンドルの挿入基端部５ａ、６ａの付勢手段用垂直受け面の間の各空間部分５１にそれぞれ組み込まれ一対の圧縮バネと、これらの圧縮バネの挿入端部をそれぞれ支持する一対のバネ支持筒とから成る。【選択図】図６
2015081434.tif 000002
【特許請求の範囲】
【請求項１】
扉の縦框に固定的に取付けられる内外の台座部材と、これらの台座部材にそれぞれ回転可能に設けられていると共に、内外のハンドル用付勢手段によりそれぞれ付勢されたプル式・プッシュ式のハンドルと、前記縦框に組み込まれたラッチケースに設けられ、かつ前記ハンドルの操作力によりラッチバネのバネ力に抗して後退動するラッチ片とを備える建具用ラッチ錠であって、
前記内外の台座部材（２１、２２）は、内外の縦長支持基板（４１、４２）と、これらの縦長支持基板に外嵌合する内外の縦長ケース状台座本体（４３、４４）とから成り、また前記内外のハンドル用付勢手段（５２）は、前記内外の縦長支持基板の付勢手段用垂直基板部分（４１ａ、４２ａ）の内壁面と前記プル式・プッシュ式のハンドルの挿入基端部（５ａ、６ａ）の付勢手段用垂直受け面の間の各空間部分（５１、５１）にそれぞれ組み込まれ一対の圧縮バネ（５２ａ、５２ａ）と、これらの圧縮バネの挿入端部をそれぞれ支持する一対のバネ支持筒（５２ｂ、５２ｂ）とから成る建具用ラッチ錠。
【請求項２】
請求項１に於いて、内外の縦長支持基板（４１、４２）は、付勢手段用垂直基板部分（４１ａ、４２ａ）の外壁面にラッチケース（１１）を、ケース支持孔（２０）を介して支持する上下の水平腕（４１ｃ、４２ｃ）を有すると共に、プル式ハンドル及びプッシュ式ハンドルをそれぞれ垂直軸（４６）を介して支持する内外の縦長ケース状台座本体（４３、４４）は、複数の固着具（４７）を介して一体的に連結されていることを特徴とする建具用ラッチ錠。
【請求項３】
請求項１又は請求項２に於いて、ラッチケース（１１）は、一側開口の縦長状ケース身（１１ａ）と、前記一側開口を閉じる縦長状ケース蓋（１１ｂ）とから成り、該ラッチケースは、プル式のハンドルの押圧部分が入り込む上下一組の開口（３１）と、該プル式のハンドルの開口とは反対側にプッシュ式のハンドルの作動レバーの押圧部分が入り込む上下一組の開口（３２）がそれぞれ設けられ、前記上下一組の開口（３１、３２）は、ラッチ片（１２）の垂直面の上下にそれぞれ突設した複数のガイド突起（３５、３６）と係合することを特徴とする建具用ラッチ錠。
【請求項４】
請求項１に於いて、ラッチケースが設けられた縦框（２ａ）は、浴室の扉の狭框であることを特徴とする建具用ラッチ錠。
【請求項５】
請求項１に於いて、ラッチ片（１２）は、扉の縦框に設けられたフロント部材（１６）から常時突出する係合先端部（１３）と、該係合先端部に連設すると共に、前記縦框に内装された縦長状ラッチケース内に位置する縦長状受け後端部（１４）とから成り、前記縦長状受け後端部の内外の台座部材（２１、２２）に対応する一方の垂直面（１４ａ）には、プル式ハンドルの複数の押圧部分（８）が同時に係合する上下の係合凹所（２５、２６）が形成され、また前記垂直面とは反対側の他方の垂直面（１４ｂ）には、プッシュ式ハンドルの作動レバーの複数の押圧部分（９）が同時に係合する上下の反対側係合凹所（２８、２９）が形成されていることを特徴とする建具用ラッチ錠。
【発明の詳細な説明】
【技術分野】
【０００１】
本発明は建具用ラッチ錠に関する。
【背景技術】
【０００２】
出願人が提案した特許文献１には、プッシュ・プル錠の把手（ハンドル）の復帰機構が記載されている。このプッシュ・プル式のハンドルの復帰機構には、錠ケースの肉厚部分に形成したバネ収納部分に組み込まれた左右一対の圧縮バネが採用されている。左右一対の圧縮バネは、把手（ハンドル）をプッシュ又はプルした時に均等な操作感を得る等の目的で、ハンドルの基端部の内壁面に直交するように固定したバネ受け部材の左右の垂直面にそれぞれ対向圧接するものである。しかしながら、この特許文献１には、把手（ハンドル）の台座部材の具体的構成、付勢手段を錠箱とは別個の台座部材内に組み込むこと、その他ラッチ片の具体的構成等は記載されていない。
【０００３】
特許文献２には、ラッチ片後退動機構を備えるラッチ錠が、建具としての浴室のドア等の自由端部に取付けることが記載されている（段落００１７）。そして、特許文献２には、内外の操作部材でラッチを図示しないラッチバネのバネ力に抗して後退動させることも記載されている（段落０００２、００１８）。
【０００４】
しかしながら、特許文献２には、内外の操作部材がプル式・プッシュ式のハンドルであること、ラッチを合成樹脂で成形すること、プル式・プッシュ式のハンドルで縦長のラッチを後退動させること、ラッチケースを縦長に形成し、ラッチケースを浴室のドアのサッシ型縦框に組み込むこと等の事項は記載されていない。
【０００５】
現在、扉の縦框の内外の壁面に対して内外の台座部材を装着する際、台座部材のコンパクト化、取付けの容易性等が要望されている。また、ラッチケースを縦框に内装し、かつ取付けの利便性を考慮してラッチケースを台座部材で合理的に支持することも要望されている。さらに、操作部材の操作性を考慮して、内外の台座部材にプッシュ・プル式のハンドルを取り付けることも要望されている。さらに、湿度が高い浴室のドアに硬質の合成樹脂材で成形したラッチ片を用いたラッチ錠の出現が期待され、その場合には、ラッチケースを始めとして、内外の台座部材を扉の自由端部の狭框に装着すること、ラッチ片を損傷しないこと、ラッチ片をプッシュ・プル式のハンドルの操作力により安定した状態で後退動させること等が期待されている。
【先行技術文献】
【特許文献】
【０００６】
【特許文献１】特開２００４−１００２８３号公報
【特許文献２】特許第５１３３２７３号公報
【発明の概要】
【発明が解決しようとする課題】
【０００７】
本発明の課題は、特許文献１、特許文献２等の利点を生かしつつ、扉の幅が狭い縦框の内外の壁面に内外の台座部材を装着する際、台座部材のコンパクト化を図り、取付けの容易性を満足させることである。また、ラッチケースを幅が狭い縦框に内装し、かつ取付けの利便性を考慮してラッチケースを台座部材で合理的に支持することである。さらに、操作性を考慮して、内外の台座部材にプッシュ・プル式のハンドルを取り付けることができることである。その際、特許文献１と同様に、ハンドルをプッシュ又はプルした時に均等な操作感を得ることができることである。さらに、湿度が高い浴室のドアに硬質の合成樹脂材で成形したラッチ片を用いたラッチ錠を提案し、ラッチケースを始めとして、内外の台座部材を扉の自由端部の狭框に装着すること、ラッチ片を損傷しないこと、ラッチ片をプッシュ・プル式のハンドルの操作力により安定した状態で後退動させること等の期待を満足させることである。
【課題を解決するための手段】
【０００８】
本発明の建具用ラッチ錠は、扉の縦框に固定的に取付けられる内外の台座部材と、これらの台座部材にそれぞれ回転可能に設けられていると共に、内外のハンドル用付勢手段によりそれぞれ付勢されたプル式・プッシュ式のハンドルと、前記縦框に組み込まれたラッチケースに設けられ、かつ前記ハンドルの操作力によりラッチバネのバネ力に抗して後退動するラッチ片とを備える建具用ラッチ錠であって、前記内外の台座部材（２１、２２）は、内外の縦長支持基板（４１、４２）と、これらの縦長支持基板に外嵌合する内外の縦長ケース状台座本体（４３、４４）とから成り、また前記内外のハンドル用付勢手段（５２）は、前記内外の縦長支持基板の付勢手段用垂直基板部分（４１ａ、４２ａ）の内壁面と前記プル式・プッシュ式のハンドルの挿入基端部（５ａ、６ａ）の付勢手段用垂直受け面の間の各空間部分（５１、５１）にそれぞれ組み込まれ一対の圧縮バネ（５２ａ、５２ａ）と、これらの圧縮バネの挿入端部をそれぞれ支持する一対のバネ支持筒（５２ｂ、５２ｂ）とから成ることを特徴とする。
【発明の効果】
【０００９】
（ａ）請求項１に記載の発明は、内外の台座部材を構成する支持基板及び台座本体をそれぞれ縦長や縦長ケース状に形成したので、扉の幅が狭い縦框、特に「狭框」の内外の壁面に内外の台座部材をコンバクト化した状態で装着することができる。また、記付勢手段１５として、いわゆる巻バネではなく、一対の圧縮バネ１５ａ、１５ａと、これらの圧縮バネの挿入端部をそれぞれ支持する一対のバネ支持筒１５ｂ、１５ｂを用い、左右の付勢手段を内外の縦長支持基板の付勢手段用垂直基板部分４１ａ、４２ａの内壁面と前記プル式・プッシュ式のハンドルの挿入基端部５ａ、６ａの付勢手段用垂直受け面の間の各空間部分２３、２４にそれぞれ組み込み込んだので、付勢手段が安定した状態で作用すると共に、内外の台座部材の突出寸法を抑えることができる。付言すると、内外の台座部材が扉の幅が狭い縦框の内外の壁面から外方向へ突出する幅を少なくすることができる。
（ｂ）請求項２に記載の発明は、内外の縦長支持基板４１、４２は、付勢手段用垂直基板部分４１ａ、４２ａの外壁面にラッチケース１１のケース支持孔に係入する上下の水平腕４１ｃ、４２ｃを有するので、各部材の組み合わせ際、各部材間の組み合わせが容易である。また、内外の縦長ケース状台座本体４３、４４は、複数の固着具（４７）を介して一体的に連結されているので、結合のみならず、修理の際、分解も可能である。
（ｃ）請求項３及び請求項４に記載の発明は、ラッチケース１１は、一側開口の縦長状ケース身１１ａと、前記一側開口を閉じる縦長状ケース蓋１１ｂとから成り、該ラッチケースは、プル式のハンドルの押圧部分が入り込む上下一組の開口３１と、該プル式のハンドルの開口とは反対側にプッシュ式のハンドルの作動レバーの押圧部分が入り込む上下一組の開口３２がそれぞれ設けられ、前記上下一組の開口３１、３２は、ラッチ片１２の垂直面の上下にそれぞれ突設した複数のガイド突起３５、３６と係合するので、ラッチケースを比較的に横幅が狭い「狭框」の内部に組み込むことができると共に、ラッチ片を安定的に後退動させることができる。
（ｄ）請求項５に記載の発明は、好ましくは湿度が高い浴室のドアの「狭框」に用いることができると共に、ラッチ片を損傷しない、ラッチ片をプッシュ・プル式のハンドルの操作力により安定した状態で後退動させること等の効果を得ることができる。
【図面の簡単な説明】
【００１０】
図１乃至図１３は本発明の一実施形態を示す各説明図。
【図１】本発明の実施形態であるラッチ片を適用した建具の斜視図。
【図２】平面視から見た環境説明図。
【図３】フロント部材の説明図。
【図４】ラッチケースのケース蓋側から見た説明図。
【図５】ラッチ錠の内部構造を示す横断面の概略説明図。
【図６】ラッチ錠の内部構造を示す縦断面の概略説明図。
【図７】図４に於いて、ケース蓋を外した説明図。
【図８】図７の８−８線概略断面説明図。
【図９】浴室側（内側の台座部材）側から見た斜視図。
【図１０】脱衣室（外側の台座部材）側から見た斜視図。
【図１１】平面視からのプル側の概略断面説明図。
【図１２】平面視からのプッシュ側の概略断面説明図。
【図１３】平面視からのラッチ片が後退動した概略断面説明図。
【発明を実施するための最良の形態】
【００１１】
（１）環境の説明
図１乃至図１３は、本発明の一実施形態の各説明図である。図１は本発明の実施形態であるラッチ片の後退動機構Ｙを適用した建具の斜視図である。ここで例示する建具は、浴室のドア、室内のドア等建造物の室内において部屋を仕切る壁に設けられるドア（扉）であり、扉枠１及び扉２を備えている。
【００１２】
扉枠１は、上枠部材１ａ、下枠部材１ｂ及び左右一対の縦枠部材１ｃ、１ｄを四周枠組みすることによって構成されている。周知の如く、扉２は扉枠１の部屋開口を閉塞することのできる大きさを有した板体である。この扉２は、少なくともラッチ受け３を有する図面左側の縦枠部材１ｃに対して対向する扉自由端部側の縦框２ａを有し、例えば浴室のドアの扉自由端部の縦框２ａは、当業者の間で、横幅が狭い「狭框」と称されている。
【００１３】
また扉取付け基端部の縦框２ｂは、図面右側の縦枠部材１ｄに上下一対のヒンジ４を介して連結され、扉２はヒンジ４の垂直軸の軸回りに回動する。浴室のドア（扉）２は、普通一般に浴室ＩＮ側（ヒンジ４が見える側）に開くので、図１では、後述するラッチ片を後退動させるためにプル式のハンドル５を手前に引く。また図１では、扉２の向こう側の狭框２ａの外壁面に台座部材を介してプッシュ式のハンドルが設けられている。したがって、扉２の向こう側は脱衣室（ＯＵＴ）である（図５参照）。
【００１４】
図２は平面視から見た環境説明図である。図２で示すように、扉２の自由端部の狭框２ａにラッチケース１１の一部又は全部（実施形態）が組み込まれている。付言すると、ラッチケース１１にはラッチ片１２が水平移動可能に設けられ、閉扉時、ラッチ片１２の係合先端部１３はフロント部材から常時突出している。したがって、ラッチ片１２は扉２の自由端部のラッチ受け３と対向する側縁部にラッチ付勢手段１５に付勢された状態で進退動自在に設けられている。
【００１５】
一方、扉枠１にラッチ受け３が設けられているが、普通一般に、ラッチ受け３と共に、扉２の内外の壁面に固定した台座部材２１、２２、内外の台座部材に可動自在に設けた内外の操作部材５、６及びラッチケース１１、ラッチ片１２、ラッチ用の付勢手段１５等は、ラッチ錠Ｘを構成する要件である。
【００１６】
（２）ラッチ片の後退動機構Ｙ
ラッチ片の後退動機構Ｙは、扉自由端部の縦框２ａの内外に固定的に取付けられる内外の台座部材２１、２２と、これらの台座部材にそれぞれ回転可能に設けられる内外のプル式・プッシュ式のハンドル５、６と、扉２の縦框２ａに組み込まれたラッチケース１１に設けられ、かつ前記ハンドルの操作力によりラッチ付勢手段（ラッチバネ）１５のバネ力に抗して水平方向に後退動するラッチ片１２を備えている。
【００１７】
しかして、前記ラッチ片１２は、ＡＢＳ樹脂、ＡＳＡ樹脂、ＡＣＳ樹脂、ＡＥＳ樹脂等の硬質の合成樹脂材で成形され、該ラッチ片１２は、前記扉自由端部（縦框）２ａに設けられたフロント部材１６からラッチバネ１５のバネ力により突出する係合先端部１３と、該係合先端部１３に連設すると共に、前記ラッチケース１１内に常に位置する縦長状受け後端部１４とから成り、前記縦長状受け後端部１４の、内外の台座部材２１、２２（室内ＩＮ、室外ＯＵＴ）に対応する一方の垂直側面１４ａには、前記プル側のハンドル５の複数の押圧部分８が同時に係合する上下の係合凹所２５、２６が形成され、また前記垂直側面１４ａとは反対側の他方の垂直側面１４ｂには前記プッシュ側のハンドル６の作動レバー７の複数の押圧部分９が同時に係合する上下の反対側係合凹所２８、２９が形成されている。
【００１８】
例えば図２、図５等で示すように、ラッチ片１２の係合先端部１３は、ラッチ受け３の垂直内面と当接する係止面（当接面）１３ａと、該係止面１３ａと鋭角方向に形成された垂直案内面１３ｂを有し、前記係止面１３ａは、扉２の垂直外縁面に対して直角となる態様で水平方向に延在する。
【００１９】
一方、前記垂直案内面１３ｂは、ラッチ片１２の先端に向かうに従って漸次係止面１３ａとの距離が小さくなるように延在し、扉２を閉じる際に扉枠１のラッチ受け３に当接する部位に対して斜め方向に形成されている（平面視、直角三角形状に見える）。
【００２０】
そして、ラッチ片１２は、扉２の表裏両面に設けたプル式・プッシュ式のハンドル５、６のいずれかの操作力により、ラッチケース１１に内装したラッチバネ１５のバネ力に抗して後退動する。その際、プル式・プッシュ式のハンドル５、６は、後述する内外のハンドル用付勢手段５２の付勢力に抗してプル（引く）又はプッシュ（押す）される。
【００２１】
（３）ラッチ片１２の具体的構成
図８乃至図１２を参照にして、ラッチ片１２の具体的構成を説明する。図８は図７の８−８線概略断面説明図で、この図８を参照にすると、ラッチケース１１は縦長状に形成され、左右の側壁の上下に上下一組の開口３１、３２がそれぞれ設けられている。
【００２２】
すなわち、ラッチケース１１は、一側開口の縦長状ケース身１１ａと、前記一側開口を閉じる縦長状ケース蓋１１ｂとから成り、該ラッチケース１１は、プル側のハンドルの押圧部分が入り込む上下一組の矩形状開口と、該プル側の開口とは反対側にプッシュ側のハンドルの作動レバーの押圧部分が入り込む上下一組の矩形状開口がそれぞれ設けられている。
【００２３】
実施形態では、ケース蓋１１ｂの上端部寄りの部位と下端部寄りの部位にプル側のハンドル５の押圧部分８が入り込む上下一組の矩形状開口３１、３１が形成され、一方、ケース身１１ａの前記ケース蓋１１ｂと対向する幅広側壁の中央部寄りの部位にプッシュ側のハンドル６の押圧部分９が入り込む上下一組の矩形状開口３２、３２が形成されている。なお、ケース身１１ａとケース蓋１１ｂは複数の固着具３３を介して適宜に結合する。
【００２４】
しかして、この縦断面縦長状のラッチケース１１の中に断面中央部を基準にすると、上方が断面Ｓ字形状で、一方、下方が前記断面Ｓ字形状に対して上下対称のラッチ片１２が組み込まれている。図９は浴室側（内側の台座部材）側から見た斜視図である。
【００２５】
実施形態の操作部材としてのハンドルは、浴室側がプル式のハンドル５なので、該プル式のハンドル５に対応するように、一方の垂直面１４ａには、ハンドル５の二つの押圧部分８、８が係入する上方の係合凹所２５と下方の係合凹所２６が形成されている。すなわち、図９を基準にすると、一方の垂直面１４ａと直交する後壁部分側の上下の係合凹所２５、２６の各内壁面２５ａ、２６ａは、二つの押圧部分８、８を同時に受ける係合受け面である。上方の係合凹所２５は前記上方係合受け面２５ａと直交する上壁２５ｂを有し、一方、下方の係合凹所２６は前記下方係合受け面２６ａと直交する下壁２６ｂを有する。また上方の係合凹所２５は、その凹所の奥部に上壁２５ｂに連設する垂直壁２５ｃ及び該垂直壁２５ｃの下部に連設して前記上壁２５ｂに対向する右下がりの傾斜壁２５ｄを有する。同様に下方の係合凹所２６も、その凹所の奥部に下壁２６ｂに連設する垂直壁２６ｃ及び該垂直壁２６ｃの上部に連設して前記下壁２６ｂに対向する右上がりの傾斜壁２６ｄを有する。
【００２６】
したがって、上下の係合凹所２５、２６は、それぞれ手前側の開口縁が大きく、凹所の奥部に至にしたがって狭くなっている端面ややコ字形状の切欠凹所である。そして、実施形態では、一方の垂直面１４ａの上方（上壁２５ｂ）と下方（下壁２６ｂ）に上下一対のガイド突起３５、３５が設けられ、これらのガイド突起は、図４で示すようにケース蓋１１ｂの上下一組の矩形状開口３１、３１と係合している。
【００２７】
図１０は脱衣室（外側の台座部材）側から見た斜視図である。この図１０では、図９とは逆に、他方の垂直面１４ｂが見える。したがって、２８、２９は、プッシュ側のハンドルの作動レバー（変換レバー）７の複数の板状押圧部分９、９が同時に係合する上下の反対側係合凹所である。これらの反対側係合凹所２８、２９は、中央部に相当する係合先端部１３寄りに上下対称に形成されている。反対側係合凹所２８、２９も一方の垂直面１４ａの上方の係合凹所と同様に作動レバー（変換レバー）７の二つの板状押圧部分９、９を受ける上方係合受け面２８ａと下方係合受け面２９ａを有する。また一方の垂直面１４ａの中央部寄りの部位には、上下一対のガイド突起３６、３６が設けられ、これらのガイド突起は、図１１で示すようにケース身１１ａの上下一組の矩形状開口３２、３２と係合している。
【００２８】
図１１は平面視からのプル側の概略断面説明図で、この図１１ではプル側のハンドル５の押圧部分８が係合凹所２５（２６）に入り込み、図２で示すようにハンドル５を引くと、前記押圧部分８が係合凹所２５（２６）の内壁面２５ａ（２６ａ）に当接することから、ラッチ片１２がラッチバネ１５のバネ力に抗して後退動することを示す。
【００２９】
これに対して、図１２は平面視からのプッシュ側の概略断面説明図で、この図１２ではプッシュ側のハンドル６の作動レバー（変換レバー）７の押圧部分９が係合凹所２８（２９）に入り込み、図２で示すようにハンドル５を押すと、前記押圧部分９が反対側係合凹所２８（２９）の内壁面２８ａ（２９ａ）に当接することから、プル側と同様にラッチ片１２がラッチバネ１５のバネ力に抗して後退動することを示す。
【００３０】
（４）フロント部材
図３はフロント部材１６の説明図である。フロント部材１６は、矩形状案内開口１７ａを有するフロント本体１７と、該フロント本体の裏面に位置し、前記矩形状案内開口と連通する裏開口１８ａを有するフロント裏板１８とから成り、前記フロント本体１７の矩形状案内開口１７ａの少なくとも左右の縁部分は、前記裏開口１８ａを貫通して奥部へ延在する端板部分１９、１９となっており、図１３で示すように、ラッチ片１２は前記左右の端板部分１９、１９に案内される。したがって、フロント部材１６が金属で成形されていても、合成樹脂製のラッチ片１２の側壁に傷を付けない。
【００３１】
（５）本発明の主要部
図５及び図６を参照にして、内外の台座部材２１、２２を説明する。内外の台座部材２１、２２は、例えば合成樹脂材で成形され、各台座部材２１、２２は、内外の縦長垂直基板４１、４２と、内外の縦長垂直基板４１、４２をそれぞれ外から囲む内外の台座本体４３、４４とから成る。
【００３２】
ここで図６を基準にして、前記内外の縦長垂直基板４１、４２と、内外の縦長垂直基板４１、４２との組合せ法を簡単に説明する。まず、図面右側が「プル用台座本体４３」で、このプル用台座本体４３の不番の内壁凹所に、内側の縦長垂直基板４１の垂直基板部分４１ａを嵌め合せ、該嵌合状態で複数個の小ネジ５５、５５を介して垂直基板部分４１ａをプル用台座本体４３に固定する。
【００３３】
次に、前記縦長垂直基板４１の縦長垂直基板部分４１ａの一側面（外壁面）に突出形成された上下の水平腕４１ｃ、４１ｃをラッチケース１１の上下のケース支持孔２０に係入させると共に、プル用台座本体４３の内壁面に突設した上下のメネジ取付け筒を狭框２ａの不番の取付け孔に同時に差込む。
【００３４】
次に、図面左側が「プッシュ用台座本体４４」で、このプッシュ用台座本体４４の不番の内壁凹所に、外側の縦長垂直基板４２の垂直基板部分４２ａを嵌め合せ、該嵌合状態で縦長垂直基板４２の縦長垂直基板部分４２ａの一側面（外壁面）に突出形成された上下の水平腕４２ｃ、４２ｃをラッチケース１１の反対側の上下のケース支持孔２０に係入させると共に、プッシュ用台座本体４４の内壁面に突設した上下の固着具用の取付け筒を狭框２ａに形成した不番の反対側の取付け孔に同時に差込む。
【００３５】
上記の如く、図面右側のプル式ハンドル５の挿入基端部５ａを軸支した「プル用台座本体４３」の内端面と、図面左側のプッシュ式ハンドル６の挿入基端部６ａを軸支した「プッシュ用台座本体４４」の内端面とを狭框２ａの内外の壁面に対応するように一致した状態を保持しつつ、最後に、複数の固着具４７、４７を前記プッシュ用台座本体４４の固着具用の取付け筒にそれぞれ挿通して、各固着具の螺子部分をプル用台座本体４３のメネジ取付け筒に螺合させる。
【００３６】
であるから、実施形態では、縦長垂直基板４１、４２の縦長垂直基板部分４１ａ、４２ａの外壁面に、ラッチケース１１を支持する上下の水平腕４１ｃ、４２ｃが突出形成されている。また、縦長垂直基板又は台座本体のいずれかに、鉛直軸４５を介して作動レバー７が軸支されている。実施形態では、図面左側の縦長垂直基板４２が鉛直軸４５を介して作動レバー（変換レバー）７を軸支している。内外のハンドル５、６自体は、内外の台座本体４３、４４に垂直軸４６、４６を介してそれぞれ軸支されている。プル側の複数の押圧部分８、８及びプッシュ側の作動レバー７を、それぞれ鉛直軸４５や垂直軸４６を介して支持する内外の支持基板４１、４２には、内外の台座本体４３、４４がそれぞれ外嵌合する。そして、前記内外の台座本体４３、４４は、図６で示すように、複数の固着具４７を介して一体的に連結されている。
【００３７】
ところで、プル式・プッシュ式５、６のハンドルは、図５で示すように、内外の支持基板４１、４２に内外対称的に設けた一対の付勢手段５２にそれぞれ付勢されている。実施形態では、狭框２ａの内外の壁面に内外の台座部材２１、２２を固着することから、付勢手段５２用の各空間部分５１、５１は、内外の縦長支持基板４１、４２の付勢手段用垂直基板部分４１ａ、４２ａの内壁面とプル式・プッシュ式のハンドルの挿入基端部５ａ、６ａの付勢手段用垂直受け面の間であり、これらの各空間部分５１、５１には、圧縮バネ５１ａと、該圧縮バネの他端部を受ける筒状バネ受け５１ｂがそれぞれ組み込まれている。
【００３８】
したがって、本発明は、扉１の縦框２ａに固定的に取付けられる内外の台座部材２１、２２と、これらの台座部材にそれぞれ回転可能に設けられていると共に、内外のハンドル用付勢手段５２、５２によりそれぞれ付勢されたプル式・プッシュ式のハンドル５、６と、前記縦框２ａに組み込まれたラッチケース１１に設けられ、かつ前記ハンドル５、６の操作力によりラッチバネ１５のバネ力に抗して後退動するラッチ片１２とを備える建具用ラッチ錠であって、前記内外の台座部材２１、２２は、内外の縦長支持基板４１、４２と、これらの縦長支持基板に外嵌合する内外の縦長ケース状台座本体４３、４４とから成り、また前記内外のハンドル用付勢手段５２は、前記内外の縦長支持基板の付勢手段用垂直基板部分４１ａ、４２ａの内壁面と前記プル式・プッシュ式のハンドルの挿入基端部５ａ、６ａの付勢手段用垂直受け面の間の各空間部分５１、５１にそれぞれ組み込まれ一対の圧縮バネ５２ａ、５２ａと、これらの圧縮バネの挿入端部をそれぞれ支持する一対のバネ支持筒５２ｂ、５２ｂとから成る。
【実施例】
【００３９】
実施形態に於いて、ラッチ片１２の上下の係合凹所２５、２６又は／及び上下の反対側係合凹所２８、２９は、図面で示した断面Ｓ字型形状、端面略コ字形状以外に、発明の課題を逸脱しない範囲で、断面Ｃ字型形状、断面ラッパ形状等、適宜に設計変更し得る事項である。また、プル式・プッシュ式５、６のハンドルを軸支した内外の台座部材２１、２２は、組み合わせの容易性を考慮して、好ましくは、内外の縦長垂直基板４１、４２と、内外の縦長垂直基板４１、４２をそれぞれ囲む内外の台座本体４３、４４とから成る。
【産業上の利用可能性】
【００４０】
本発明は、錠前や建具の分野で利用することができる。
【符号の説明】
【００４１】
Ｘ…ラッチ錠、
Ｙ…ラッチ片の後退動機構、
１…扉枠、２…扉、２ａ…自由端部の縦框、
５…プル式のハンドル、５ａ…プル側の挿入基端部、
６…プッシュ式のハンドル、６ａ…プッシュ側の挿入基端部、
７…作動レバー、
８…プル側の押圧部分、
９…プッシュ側の押圧部分、
１１…ラッチケース、
１１ａ…縦長状ケース身、１１ｂ…縦長状ケース蓋、
１２…ラッチ片、
１３…係合先端部、
１４…受け後端部、
１５…ラッチバネ、
１６…フロント部材、
１７…フロント本体、
１８…フロント裏板、
１９…端板部分、
２０…ラッチケースの支持孔、
２１…内側の台座部材、
２２…外側の台座部材、
２５…上の係合凹所、
２６…下の係合凹所、
２８…上の反対側係合凹所、
２９…下の反対側係合凹所、
３１…プル側の上下一組の開口、
３２…プッシュ側の上下一組の開口、
３５、３６…ガイド突起、
４１、４２…内外の支持基板、
４１ａ、４２ａ…内外の縦長支持基板の付勢手段用垂直基板部分、
４５…作動レバー用鉛直軸、
４６…内外のハンドル用垂直軸、
５１…付勢手段５２用の各空間部分、
５２…ハンドル用の付勢手段、
５２ａ…圧縮バネ、５１ｂ…筒状バネ受け。
【図１】
2015081434.tif 000003
【図２】
2015081434.tif 000004
【図３】
2015081434.tif 000005
【図４】
2015081434.tif 000006
【図５】
2015081434.tif 000007
【図６】
2015081434.tif 000008
【図７】
2015081434.tif 000009
【図８】
2015081434.tif 000010
【図９】
2015081434.tif 000011
【図１０】
2015081434.tif 000012
【図１１】
2015081434.tif 000013
【図１２】
2015081434.tif 000014
【図１３】
2015081434.tif 000015